(57)【特許請求の範囲】
【請求項１】
サスペンダが、突張りフランジを上端に備え、そして、その突張りフランジをインナ・カバーの内側面に向けてそのインナ・カバーの下端に予め重ね縫いされ、そして、そのインナ・カバーが、背裏において上端をシート・バック・フレームのインナ・クロス・メンバ側のクロス・ワイヤに止められてインナ・ガーニッシュでその上端を覆われ、また、そのサスペンダを内側にしてその下端を表皮の下方端末の外側に位置させ、アウタ・ガーニッシュでそのサスペンダと一緒にその下端をそのシート・バック・フレームのアウタ・クロス・メンバおよびそのアウタ・クロス・メンバ側のクロス・ワイヤに止められ、そして、その突張りフランジで張られてそのアウタ・ガーニッシュでその下端を覆われるところのリラクサブル・シートに使用されるシート・バック。
【請求項２】
そのサスペンダが、樹脂で成形される請求項１に記載のリラクサブル・シートに使用されるシート・バック。
【発明の詳細な説明】
【０００１】
【発明の関係する分野】
この発明は、乗り物のリラクサブル・シートに使用されるシート・バックに関する。
【０００２】
【背景技術】
最近、フィン・ロック機構で操作されてシート・バックをリア・シートのシート・クッション上に倒せるところのリラクサブル・シート（ｒｅｌａｘａｂｌｅｓｅａｔ）が乗用車に用いられる傾向にある。そのシート・バックは、トリム・カバー・アッセンブリの下方端末が背裏においてインナ・カバーで処理され、そして、そのインナ・カバーがシート・バック・フレームのインナ・クロス・パイプ側のインナ・ワイヤに上端を止めてインナ・ガーニッシュでその上端を覆われながらパッドに押し付けられ、また、下端をそのトリム・カバー・アッセンブリのその下方端末上に重ね合わせてスペシャル・ファスナでアウタ・ガーニッシュに止められるのが一般である。そのような処理では、そのスペシャル・ファスナが後方から見えて見映えが悪く、また、そのインナ・カバーが足などで強く押されると、そのスペシャル・ファスナは外れてそのインナ・カバーにたるみを生じた。
【０００３】
【発明の課題】
この発明の課題は、表皮の下方端末を処理するインナ・カバーを外れることなしに確実に止め、そして、外観仕上りを向上し、そして加えて、縫製工数を削減するところのリラクサブル・シートに使用されるシート・バックの提供にある。
【０００４】
【課題に相応する手段およびそれの作用】
この発明は、サスペンダが、突張りフランジを上端に備え、そして、その突張りフランジをインナ・カバーの内側面に向けてそのインナ・カバーの下端に予め重ね縫いされ、そして、そのインナ・カバーが、背裏において上端をシート・バック・フレームのインナ・クロス・メンバ側のクロス・ワイヤに止められてインナ・ガーニッシュでその上端を覆われ、また、そのサスペンダを内側にしてその下端を表皮の下方端末の外側に位置させ、アウタ・ガーニッシュでそのサスペンダと一緒にその下端をそのシート・バック・フレームのアウタ・クロス・メンバおよびそのアウタ・クロス・メンバ側のクロス・ワイヤに止められ、そして、その突張りフランジで張られてそのアウタ・ガーニッシュでその下端を覆われ、そして、そのサスペンダが活用されてその表皮のその下方端末がそのアウタ・ガーニッシュでそのシート・バック・フレームに止められ、そして、覆われる。
【０００５】
【具体例の説明】
以下、特定されて図示された具体例に基づいて、この発明のリラクサブル・シートに使用されるシート・バックを説明するに、図１ないし図３は、乗用車のリラクサブル・シートに適用されるところのこの発明のリラクサブル・シートに使用されるシート・バックの具体例１０を示し、そして、このシート・バック１０では、サスペンダ１７が、突張りフランジ１８を上端に備えて樹脂で成形され、そして、その突張りフランジ１８をインナ・カバー１４の内側面に向けてそのインナ・カバー１４の下端に予め重ね縫いされ、また、そのインナ・カバー１４が、背裏において上端をシート・バック・フレーム１１のインナ・クロス・メンバ２０側のクロス・ワイヤ２２に止められてインナ・ガーニッシュ１５でパッド１２上に押し付けられながらその上端を覆われ、さらに、そのサスペンダ１７を内側にしてその下端を表皮１３の下方端末の外側に位置させ、アウタ・ガーニッシュ１６でそのサスペンダ１７と一緒にその下端をそのシート・バック・フレーム１１のアウタ・クロス・メンバ２１およびそのアウタ・クロス・メンバ２１側のクロス・ワイヤ２３に止められ、そして、その突張りフランジ１８で張られてそのアウタ・ガーニッシュ１６でその下端を覆われる。
【０００６】
そのサスペンダ１７は、そのシート・バック１０の下方において左右に伸長される樹脂の帯板状成形品でその突張りフランジ１８は、リップ付きに作られている。勿論、この突張りフランジ１８はビード付きに作られてもよい。また、そのサスペンダ１７は、複数の穴２６，２６，２６，２６を幅の中間位置で長さ方向にそのアウタ・ガーニッシュ１６の複数のフック２４，２４，２４，２４および間隔に合わせて明けている。
【０００７】
そのインナ・カバー１４は、そのインナ・クロス・メンバ２０およびアウタ・クロス・メンバ２１に渡る幅で背裏に左右方向に伸長される幅広の帯状表皮片でその下端に複数の穴２５，２５，２５，２５を左右方向にそのサスペンダ１７のその複数の穴２６，２６，２６，２６に合わせて明けて作られ、そして、その複数の穴２５，２５，２５，２５にそのサスペンダ１７のその複数の穴２６，２６，２６，２６を合わせてそのサスペンダ１７をその下端に予め重ねて縫い付ける。
【０００８】
そのインナ・カバー１４は、その上端をそのクロス・ワイヤ２２にホグ・リング２７で止められ、一方、そのサスペンダ１７を内側にしてその下端をその表皮１３の下方端末の外側に位置させ、その下端の外側からそのアウタ・ガーニッシュ１６のその複数のフック２４，２４，２４，２４をその複数の穴２５，２５，２５，２５および２６，２６，２６，２６に通してそのアウタ・ガーニッシュ１６をその下端の外側に押し付け、そのアウタ・ガーニッシュ１６の下端とその複数のフック２４，２４，２４，２４とをそのアウタ・クロス・メンバ２１およびクロス・ワイヤ２３に挟み付け、そして、そのアウタ・クロス・メンバ２１およびクロス・ワイヤ２３に組み付けられるそのアウタ・ガーニッシュ１６によってその下端をそのアウタ・クロス・メンバ２１およびクロス・ワイヤ２３に止められる。
【０００９】
そのような取付け方法が採用可能になるので、そのインナ・カバー１４は、そのインナ・ガーニッシュ１５によってその上端をパッド１２に押し付けられ、その下端をその突張りフランジ１８でその下端を外側に押し出され、そして、たるみなしに全体的に張られる。そして、そのインナ・カバー１４は、その上端がそのインナ・ガーニッシュ１５で、その下端がそのアウタ・ガーニッシュ１６でそれぞれ覆われて見映えが向上され、そして、足などで強く押されても外れずに確実に止められ、また、縫製工数も削減される。
【００１０】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【００１１】
【発明の便益】
上述から理解されるように、この発明のリラクサブル・シートに使用されるシート・バックは、サスペンダが、突張りフランジを上端に備え、そして、その突張りフランジをインナ・カバーの内側面に向けてそのインナ・カバーの下端に予め重ね縫いされ、そして、そのインナ・カバーが、背裏において上端をシート・バック・フレームのインナ・クロス・メンバ側のクロス・ワイヤに止められてインナ・ガーニッシュでその上端を覆われ、また、そのサスペンダを内側にしてその下端を表皮の下方端末の外側に位置させ、アウタ・ガーニッシュでそのサスペンダと一緒にその下端をそのシート・バック・フレームのアウタ・クロス・メンバおよびそのアウタ・クロス・メンバ側のクロス・ワイヤに止められ、そして、その突張りフランジで張られてそのアウタ・ガーニッシュでその下端を覆われるので、この発明のリラクサブル・シートに使用されるシート・バックでは、表皮の下方端末を処理するインナ・カバーが、外れることなしに確実に止められて全体的に張られ、そして、外観仕上りが向上され、そして加えて縫製工数が削減され、その結果、リラクサブル・シートにとって非常に有用で実用的である。
【図面の簡単な説明】
【図１】乗用車のリラクサブル・シートに適用されるところのこの発明のリラクサブル・シートに使用されるシート・バックの具体例を後方から見た斜視図である。
【図２】図１の２−２線に沿って示した断面図である。
【図３】図２に示されたそのシート・バックを部分的に拡大した部分拡大断面図である。
【符号の説明】
１３    表皮
１４    インナ・カバー
１５    インナ・ガーニッシュ
１６    アウタ・ガーニッシュ
１７    サスペンダ
１８    突張りフランジ
【図１】
0003631342.tif 000002
【図２】
0003631342.tif 000003
【図３】
0003631342.tif 000004